(57)【要約】【課題】本発明は、液晶ディスプレイを提供する。【解決手段】本発明にかかるディスプレイ装置は、液晶モジュール（１４４）と、赤色発光ダイオードのアレイ（１３６）、緑色発光ダイオードのアレイ（１３８）及び青色発光ダイオードのアレイ（１４０）を含むバックライトアセンブリ（１３４）と、前記赤色発光ダイオードのアレイ（１３６）、前記緑色発光ダイオードのアレイ（１３８）及び前記青色発光ダイオードのアレイ（１４０）を、連続した照明サイクルにおいて駆動するタイミングコントローラ（１３２）とを備え、前記タイミングコントローラ（１３２）は、各照明サイクル間に黒色フレームサイクルを挿入する。【選択図】図１Ｂ
2010524009.tif 000002
【特許請求の範囲】
【請求項１】
液晶モジュール（１４４）と、
赤色発光ダイオードのアレイ（１３６）、緑色発光ダイオードのアレイ（１３８）及び青色発光ダイオードのアレイ（１４０）を含むバックライトアセンブリ（１３４）と、
前記赤色発光ダイオードのアレイ（１３６）、前記緑色発光ダイオードのアレイ（１３８）及び前記青色発光ダイオードのアレイ（１４０）を、連続した照明サイクルにおいて駆動するタイミングコントローラ（１３２）と
を備え、
前記タイミングコントローラ（１３２）は、各照明サイクル間に黒色フレームサイクルを挿入する
ディスプレイ装置。
【請求項２】
前記バックライトアセンブリ（１３４）と前記液晶モジュール（１４４）との間に介在する拡散板
をさらに備える請求項１に記載のディスプレイ装置。
【請求項３】
前記液晶モジュール（１４４）上で赤色成分画像が生成された後に、前記赤色発光ダイオードのアレイ（１３６）が照明され、
前記液晶モジュール（１４４）上で緑色成分画像が生成された後に、前記緑色発光ダイオードのアレイ（１３８）が照明され、
前記液晶モジュール（１４４）上で青色成分画像が生成された後に、前記青色発光ダイオードのアレイ（１４０）が照明される
請求項１に記載のディスプレイ装置。
【請求項４】
前記液晶モジュール（１４４）に隣接して導光フィルムをさらに備える
請求項１に記載のディスプレイ装置。
【請求項５】
前記タイミングコントローラ（１３２）は、第１の持続時間の連続した照明サイクルにおいて、前記赤色発光ダイオードのアレイ（１３６）、前記緑色発光ダイオードのアレイ（１３８）及び前記青色発光ダイオードのアレイ（１４０）を起動し、
前記黒色フレームサイクルは、実質的に前記第１の持続時間の３分の１である
請求項１に記載のディスプレイ装置。
【請求項６】
前記バックライトアセンブリ（１３４）は、
白色発光ダイオードのアレイ
をさらに備え、
前記タイミングコントローラ（１３２）は、前記白色発光ダイオードのための照明サイクルを駆動する
請求項１に記載のディスプレイ装置。
【請求項７】
前記タイミングコントローラ（１３２）は、６０Ｈｚのリフレッシュレートで動作し、
各ＬＥＤアレイは、各リフレッシュサイクルの一部にわたって作動する
請求項１に記載のディスプレイ装置。
【発明の詳細な説明】
【技術分野】
【０００１】
本発明は、液晶ディスプレイに関する。
【背景技術】
【０００２】
多くの電子装置が、カラー液晶ディスプレイ（ＬＣＤ）を備える。
ＬＣＤの中には白色バックライトを利用するものがあり、白色バックライトを少なくとも１つのカラーフィルタに通して、ＬＣＤ画面において種々の色を利用できるようにする。
ＬＣＤ画面上のピクセルは、赤色ピクセル、緑色ピクセル及び青色ピクセルを含む３つのピクセルから成る複数のグループに割り当てられる。
赤色ピクセル、緑色ピクセル及び青色ピクセルの強度を巧みに操作することによって、画面上に複数の色が提示される。
【発明の概要】
【発明が解決しようとする課題】
【０００３】
そのようなＬＣＤアセンブリのために必要とされるカラーフィルタは、ＬＣＤアセンブリのコストを上げ、ＬＣＤアセンブリを大きくすると共に、複雑にする。
さらに、ピクセルを３つのピクセルから成る複数のグループの割り当てることは、ＬＣＤディスプレイの解像度を低下させる。
したがって、ＬＣＤアセンブリを改善することによって有用性を見出すことができる。
【課題を解決するための手段】
【０００４】
上記目的を達成するために、本発明にかかるディスプレイ装置は、液晶モジュール（１４４）と、赤色発光ダイオードのアレイ（１３６）、緑色発光ダイオードのアレイ（１３８）及び青色発光ダイオードのアレイ（１４０）を含むバックライトアセンブリ（１３４）と、前記赤色発光ダイオードのアレイ（１３６）、前記緑色発光ダイオードのアレイ（１３８）及び前記青色発光ダイオードのアレイ（１４０）を、連続した照明サイクルにおいて駆動するタイミングコントローラ（１３２）とを備え、前記タイミングコントローラ（１３２）は、各照明サイクル間に黒色フレームサイクルを挿入する。
【図面の簡単な説明】
【０００５】
【図１Ａ】一実施形態による、ＬＣＤアセンブリの概略的な正面図である。
【図１Ｂ】一実施形態による、ＬＣＤアセンブリの組立分解側面図である。
【図２Ａ】一実施形態による、ディスプレイタイミングシーケンスの概略図である。
【図２Ｂ】一実施形態による、ディスプレイタイミングシーケンスの概略図である。
【図３】一実施形態による、コンピュータシステムの概略図である。
【発明を実施するための形態】
【０００６】
図１Ａは、一実施形態によるＬＣＤアセンブリの概略的な正面図であり、図１Ｂは、一実施形態によるＬＣＤアセンブリの組立分解側面図である。
図１Ａを参照すると、ディスプレイアセンブリ１００は、基部１１０と、基部に結合されるモニタアセンブリ１２０とを備える。
モニタアセンブリ１２０は、ＬＣＤアセンブリ１３０を収容するハウジング１２２を備える。
【０００７】
図１Ｂを参照すると、ＬＣＤアセンブリ１３０は、タイミングコントローラ１３２と、バックライトアセンブリ１３４と、拡散板１４２と、ＬＣＤモジュール１４４と、導光（light directing）フィルム１４６とを備える。
ディスプレイアセンブリ１００は、任意のタイプのカラーグラフィックスディスプレイとして具現化される場合がある。
一実施形態では、ＬＣＤモジュール１４４は、薄膜トランジスタ（ＴＦＴ）アセンブリを含む場合がある。
他の実施形態では、ＬＣＤモジュール１４４は、異なるタイプのＬＣＤ、たとえば、ダイオードマトリックス又は別の容量駆動ＬＣＤ、デジタルミラーアセンブリ等として具現化される場合がある。
【０００８】
バックライトアセンブリ１３４は、たとえば、赤色ＬＥＤのアレイ１３６、緑色ＬＥＤのアレイ１３８及び青色ＬＥＤのアレイ１４０を含む発光ダイオード（ＬＥＤ）の複数のアレイを含む。
拡散板１４２は、バックライトアセンブリ１３４に隣接して配置される。
いくつかの実施形態において、拡散板１４２は、ＬＥＤの複数のアレイ１３６、１３８、１４０によって放射される光を偏光するための偏光板としての役割も果たすことができる。
【０００９】
拡散板１４２に隣接してＬＣＤモジュール１４４が配置される。
いくつかの実施形態において、ＬＣＤモジュールは、ツイステッドネマティックＬＣＤ、面内スイッチングＬＣＤ、又は垂直配向（ＶＡ）ＬＣＤとすることができる。
いくつかの実施形態では、ディスプレイの輝度を高めるために、ＬＣＤに隣接して導光フィルム１４６が配置される場合がある。
【００１０】
いくつかの実施形態では、ＬＥＤアレイ１３６、１３８、１４０を順次に照明して、ＬＣＤアセンブリ１３０上にカラー画像を作成することができる。
図２Ａ及び図２Ｂは、実施形態によるディスプレイタイミングシーケンスの概略図である。
そのタイミングシーケンスは、タイミングコントローラ１３２によって管理することができる。
【００１１】
図２Ａは、ＬＣＤアセンブリ１３０上に単色画像を提示するためのタイミングシーケンスを示す。
図２Ａに示される実施形態では、タイミングコントローラは、ＬＣＤアセンブリ１３０上にフルカラー画像を表示するために、マルチステッププロセスを実施する。
マルチステッププロセスは、フルカラー画像の単色成分画像を連続して生成し、その後、その色成分を用いて画面を照明する。
このプロセスは、フルカラー画像の各色成分に関して繰り返される。
十分に速いサイクル速度において実施されるときに、連続した単色成分画像は、フルカラー画像として現れる。
【００１２】
図２Ａを参照すると、最初に、ＬＣＤアセンブリが時刻Ｔ１において同期する。
フルカラー画像の赤色成分がＬＣＤアセンブリ１３０上に生成され、その後、赤色ＬＥＤのアレイ１３６が照明される。
フルカラー画像の緑色成分がＬＣＤ１３０上に生成され、その後、緑色ＬＥＤのアレイ１３８が照明される。
最後に、フルカラー画像の青色成分がＬＣＤ１３０上に生成され、その後、青色ＬＥＤのアレイ１４０が照明される。
赤色、緑色及び青色画像を組み合わせることによって、ディスプレイアセンブリ１３０上にフルカラー画像が生成される。
【００１３】
多くのディスプレイアセンブリが、６０Ｈｚ画像リフレッシュレートを用いて動作する。
いくつかの実施形態において、タイミングコントローラ１３２は、各リフレッシュサイクルが（ｎ＋１）個の異なるサイクルに細分されるように動作する。
ただし、ｎはディスプレイアセンブリ１３０上に提示される成分色画像の数に対応する。
たとえば、赤色ＬＥＤ、緑色ＬＥＤ及び青色ＬＥＤを使用する実施形態では、６０Ｈｚリフレッシュレートは４つの異なるサイクルに分割される場合がある。
いくつかの実施形態では、画面の輝度を高めるために、（たとえば、白色ＬＥＤアレイを追加することによるか、又は赤色、緑色及び青色ＬＥＤアレイを同時に照明することによって）バックライトアセンブリに白色照明サイクルを追加して、各リフレッシュサイクルが５つの異なるサイクルに細分されるようにする場合もある。
【００１４】
図２Ｂは、３サイクル照明方式を利用する、一実施形態におけるタイミングコントローラ１３２のタイミングサイクルを示す。
図２Ｂを参照すると、初期同期時間後に、赤色ＬＥＤのアレイ１３６に電圧が印加され、約（１／２４０）秒間、その電圧が保持され、その後、赤色ＬＥＤのアレイ１３６から電圧が除去される。
約（１／７２０）秒の遅延が導入された後に、緑色ＬＥＤのアレイ１３８に電圧が印加される。
約（１／２４０）秒間、その電圧が保持され、その後、緑色ＬＥＤのアレイ１３８から電圧が除去される。
約（１／７２０）秒の別の遅延が導入された後に、青色ＬＥＤのアレイ１４０に電圧が印加される。
約（１／２４０）秒間、その電圧が保持され、その後、青色ＬＥＤのアレイ１４０から電圧が除去される。
約（１／７２０）秒の別の遅延が導入された後に、赤色ＬＥＤのアレイ１３６に電圧が印加され、そのサイクルが続けられる。
【００１５】
別の実施形態では、ディスプレイアセンブリが、コンピュータシステムの１つの構成要素として配置される場合がある。
図３は、一実施形態による演算システムの概略図である。
図３に示される構成要素は単なる例示であり、本発明の機能の範囲に関していかなる制限をも示唆することを意図しない。
本発明は、必ずしも図３に示される機構に依拠しない。
例示される実施形態では、コンピュータシステム３００は、インターネットにアクセスするためのハンドヘルド装置又は固定式装置、デスクトップＰＣ、ノートブックコンピュータ、携帯情報端末、又は基本入力／出力システム（ＢＩＯＳ）又はそれに相当するものを有する任意の他の処理装置として具現化することができる。
【００１６】
演算システム３００は、コンピュータ３０８と、画面３０４を有するディスプレイ３０２、キーボード３１０、他のＩ／Ｏ装置（複数可）３１２及びマウス３１４を含む、１つ又は複数の付随する入力／出力装置３０６とを含む。
他の装置（複数可）３１２は、たとえば、タッチスクリーン、音声起動入力装置、トラックボール、並びにシステム３００が開発者及び／又は使用者から入力を受信できるようにする任意の他の装置を含む場合がある。
【００１７】
コンピュータ３０８は、一般にマザーボード及び少なくとも１つの補助回路基板上に実装されるシステムハードウエア３２０を備える。
システムハードウエア３２０は、プロセッサ３２２と、基本入力／出力システム（ＢＩＯＳ）３２６とを含む。
ＢＩＯＳ３２６は、フラッシュメモリ内に実装される場合があり、コンピュータ装置をブートするための論理演算、並びにシステム初期化及びテストを実施するためのパワーオンセルフテスト（ＰＯＳＴ）モジュールを含む場合がある。
動作時に、演算システム３００の起動が開始するとき、プロセッサ３２２がＢＩＯＳ３２６にアクセスし、パワーオンセルフテストモジュールのような、ＢＩＯＳ３２６の命令をオペレーティングメモリ内にシャドーイングする。
その後、プロセッサ３２２は、パワーオンセルフテスト演算を実行し、ＰＯＳＴ処理を実施する。
【００１８】
コンピュータシステム３００は、コンピュータ３０８に通信可能に接続されるファイル格納装置３８０をさらに備える。
ファイル格納装置３８０は、たとえば、１つ又は複数のハードドライブのような内部装置、或いは、たとえば、１つ又は複数の外部ハードドライブ、ネットワーク付属ストレージ又は別個のストレージネットワークのような外部装置とすることができる。
いくつかの実施形態において、ファイル格納装置３８０は、１つ又は複数の区画３８２、３８４、３８６を含む場合がある。
【００１９】
メモリ３３０は、コンピュータ３０８の動作を管理するためのオペレーティングシステム３４０を含む。
一実施形態では、オペレーティングシステム３４０は、システムハードウエア３２０へのインターフェースを提供するハードウエアインターフェースモジュール３５４を含む。
さらに、オペレーティングシステム３４０は、カーネル３４４と、コンピュータ３０８の操作において用いられるファイルを管理する１つ又は複数のファイルシステム３４６と、コンピュータ３０８上で実行されるプロセスを管理するプロセス制御サブシステム３４８とを含む。
オペレーティングシステム３４０は、１つ又は複数のデバイスドライバ３５０と、オペレーティングシステム３４０と１つ又は複数のアプリケーションモジュール３６２及び／又はライブラリ３６４との間のインターフェースを提供するシステムコールインターフェースモジュール３４２とをさらに含む。
種々のデバイスドライバ３５０が、演算システム３００内に設置されるハードウエアとインターフェースし、そのハードウエアを包括的に制御する。
【００２０】
動作時に、コンピュータ３０８上で実行される１つ又は複数のアプリケーションモジュール３６２及び／又はライブラリ３６４は、システムコールインターフェースモジュール３４２を呼び出し、コンピュータのプロセッサ上で１つ又は複数のコマンドを実行する。
システムコールインターフェースモジュール３４２は、ファイルシステム３４６のサービスを呼び出して、コマンド（複数可）によって要求されるファイルを処理し、プロセス制御サブシステム３４８を呼び出して、コマンド（複数可）によって要求されるプロセスを処理する。
その後、ファイルシステム（複数可）３４６及びプロセス制御サブシステム３４８は、ハードウエアインターフェースモジュール３５４のサービスを呼び出して、システムハードウエア３２０とインターフェースする。
オペレーティングシステムカーネル３４４は包括的には、多くのオペレーティングシステム機能を実施する役割を担う１つ又は複数のソフトウエアモジュールと見なすことができる。
【００２１】
オペレーティングシステム３４０の特定の実施形態は、本明細書において記述される本発明の主題にとって重要ではない。
オペレーティングシステム３４０は、ＵＮＩＸ（登録商標）オペレーティングシステム若しくはその任意の派生物（たとえば、Ｌｉｎｕｘ、Ｓｏｌａｒｉｓ等）として具現化されるか、又はＷｉｎｄｏｗｓ（登録商標）ブランドオペレーティングシステム若しくは別のオペレーティングシステムとして具現化されてもよい。
【００２２】
本明細書において「一実施形態」又は「或る実施形態」を参照することは、その実施形態との関連で説明される特定の機構、構造又は特徴が少なくとも１つの実施態様において含まれることを意味する。
本明細書の種々の場所において「一実施形態において」という言い回しが現れるが、必ずしも全てが同じ実施形態を参照しているとは限らない。
【００２３】
したがって、複数の実施形態が、構造的な特徴及び／又は方法論的な動作に特有の用語において記述されているが、特許請求される本発明の主題が、記述される特定の機構又は動作に限定されてはならないことは理解されたい。
むしろ、特定の機構及び動作は、特許請求される本発明の主題を実施するサンプル形態として開示される。
【符号の説明】
【００２４】
１００・・・ディスプレイアセンブリ
１１０・・・基部
１２０・・・モニタアセンブリ
１２２・・・ハウジング
１３０・・・ＬＣＤアセンブリ
１３２・・・タイミングコントローラ
１３４・・・バックライトアセンブリ
１３６・・・赤色ＬＥＤのアレイ
１３８・・・緑色ＬＥＤのアレイ
１４０・・・青色ＬＥＤのアレイ
１４２・・・拡散板／偏光板
１４４・・・ＬＣＤモジュール
１４６・・・導光フィルム
３００・・・コンピュータシステム
３０２・・・ディスプレイ
３０４・・・画面
３０６・・・入力／出力装置
３０８・・・コンピュータ
３１０・・・キーボード
３１２・・・他の装置（複数可）
３１４・・・マウス
３２０・・・システムハードウエア
３２２・・・プロセッサ
３２６・・・ＢＩＯＳ
３３０・・・メモリ
３４０・・・オペレーティングシステム
３４２・・・システムコールインターフェースモジュール
３４４・・・カーネル
３４６・・・ファイルシステム（複数可）
３４８・・・プロセス制御システム（複数可）
３５０・・・デバイスドライバ（複数可）
３５４・・・ハードウエアインターフェースモジュール
３６２・・・アプリケーションモジュール
３６４・・・ライブラリ
３８０・・・ファイル格納装置
３８２・・・区画１
３８４・・・区画２
３８６・・・区画３
【図１Ａ】
2010524009.tif 000003
【図１Ｂ】
2010524009.tif 000004
【図２Ａ】
2010524009.tif 000005
【図２Ｂ】
2010524009.tif 000006
【図３】
2010524009.tif 000007
【国際調査報告】
2010524009.tif 000008
2010524009.tif 000009